【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
バックヨーク部と前記バックヨーク部から突出したティース部とを備える分割構造の磁極片から構成されるユニットコアと、
前記磁極片に嵌合された第１の絶縁用ボビンと第２の絶縁用ボビンと、
前記第１の絶縁用ボビンと第２の絶縁用ボビンを介して前記ティース部に巻装された巻線とを備え、
前記第１の絶縁用ボビンは、外壁と内径寸法は前記磁極片のティース内径寸法より小さい内壁を有し、前記内壁の外径側には前記巻線の渡り線を収納する渡り線収納溝が設けられ、さらに前記内壁には周方向に渡り線を通すスリットを備え、さらに内径側に突出した突起を備え、
前記第２の絶縁用ボビンは、前記外壁と内径寸法は前記磁極片のティース内径寸法より大きい前記内壁を備えた構成で、
同一相の前記各磁極片の前記各ティース部に巻装された前記巻線は前記磁極片間の途中で切断されることなく引き回されている回転電機の固定子。
【請求項２】
前記第１の絶縁用ボビンの前記内壁に設けられた前記巻線の渡り線を収納する前記渡り線収納溝は３段軸方向に設けられ、さらに前記内壁に備えた周方向に渡り線を通す前記スリットは２箇所であり、さらに内径側に突出した前記突起は前記スリット間に1個と前記スリットの円周方向両端部に軸方向に各２個である請求項１の回転電機の固定子。
【請求項３】
前記第１の絶縁用ボビンの前記外壁に、さらに渡り線収納溝を軸方向に２段設けた請求項１または請求項２に記載の回転電機の固定子。
【請求項４】
前記巻線の渡り線を前記内壁の前記スリットを通し、前記内壁の内径側および外径側に配置した請求項１から請求項３のいずれか１項に記載の回転電機の固定子。
【請求項５】
３相交流用の回転電機に適用する請求項１から請求項４のいずれか１項に記載の回転電機の固定子。
【請求項６】
３相交流用の回転電機に適用し、Ｕ相、Ｖ相、Ｗ相の前記巻線の渡り線を前記内壁の前記スリットを通し、前記内壁の内径側の前記突起の軸方向上側または下側に配置し、Ｕ相、Ｖ相、Ｗ相の前記巻線の渡り線同士の干渉を防止する構成とした請求項４に記載の回転電機の固定子。
【請求項７】
前記第１の絶縁用ボビンの前記内壁の軸方向下側端部に、さらに内径延長部を設け、
前記内径延長部にセンサを有する基板を設置する構成とした請求項１から請求項６のいずれか１項に記載の回転電機の固定子。
【請求項８】
前記第１の絶縁用ボビンのバックヨーク嵌合部に凹部を設け、前記凹部に導電性部材を取り付け、前記各相の巻線の巻き終わり線の中性点を前記導電性部材に接続する構成とした請求項１から請求項６のいずれか１項に記載の回転電機の固定子。
【請求項９】
前記磁極片に嵌合する前記第１の絶縁用ボビンと前記第２の絶縁用ボビンを一体成形とした請求項１から請求項６のいずれか１項に記載の回転電機の固定子。
【請求項１０】
前記第１の絶縁用ボビンの前記内壁の内径側に、回転子逃がし部を設けた請求項１から請求項６のいずれか１項に記載の回転電機の固定子。
【請求項１１】
バックヨーク部と前記バックヨーク部から突出したティース部とを備える分割構造の磁極片から構成されるユニットコアと、
前記磁極片に嵌合された第１の絶縁用ボビンと第２の絶縁用ボビンと、
前記第１の絶縁用ボビンと第２の絶縁用ボビンを介して前記ティース部に巻装された巻線とを備え、
前記第１の絶縁用ボビンは、外壁と内径寸法は前記磁極片のティース内径寸法より小さい内壁を有し、前記内壁の外径側には前記巻線の渡り線を収納する渡り線収納溝が３段軸方向に設けられ、さらに前記内壁には周方向に渡り線を通す２箇所のスリットを備え、さらに内径側に突出した突起を前記スリット間に1個と前記スリットの円周方向両端部に軸方向に各２個を備え、
前記第２の絶縁用ボビンは、前記外壁と内径寸法は前記磁極片のティース内径寸法より大きい前記内壁を備えた構成の回転電機の固定子と、
前記磁極片の積層方向に回転軸を持つ鉄心保持治具と、
前記鉄心保持治具の前記回転軸と直交する方向に配置された回転軸を中心に旋回し巻線を供給する巻線供給巻付用のフライヤとを備えた巻線装置を用い、
前記鉄心保持治具に第１、第２の２個１組の前記磁極片と、第３、第４の２個１組の前記磁極片を、第１、第２の前記磁極片については前記バックヨーク部の周方向端面同士が互いに隣接し、前記各ティース部同士がＶ字形に配置し、また第３、第４の前記磁極片については、第１、第２の前記磁極片に対して前記鉄心保持治具の前記回転軸を中心とした周方向に離間させた位置に、前記バックヨーク部の周方向端面同士が互いに隣接し、前記各ティース部同士がＶ字形に取り付けて配置する第１の工程と、
前記第１の磁極片の前記ティース部に前記フライヤにより前記巻線を巻装する第２の工程と、
前記巻線を切断することなく前記鉄心保持治具の回転によって前記第２の磁極片を前記フライヤに対向させる第３の工程と、
前記第２の磁極片の前記ティース部に前記フライヤにより前記巻線を巻装する第４の工程と、
前記巻線を切断することなく前記鉄心保持治具の回転によって前記第３の磁極片を前記フライヤに対向させ、前記離間ティース間の渡り線を所定長さ確保する第５の工程と、
前記第３の磁極片の前記ティース部に前記フライヤにより前記巻線を巻装する第６の工程と、
前記巻線を切断することなく前記鉄心保持治具の回転によって前記第４の磁極片を前記フライヤに対向させる第７の工程と、
前記第４の磁極片の前記ティース部に前記フライヤにより前記巻線を巻装する第８の工程と、
巻装した前記各ユニットコアを取り外し、互いに隣接する２個１組の前記各磁極片を円弧形状に変形する第９の工程と、
前記各工程を経た４個の前記磁極片を１組として、これを３の倍数組並べて環状に組み立てる第１０の工程と、
この前記環状に組み立てる際に前記離間ティース間の前記渡り線を前記第１の絶縁用ボビンの前記内壁に設けた前記スリットを通し、前記内壁の内径側の前記突起の軸方向の上側または下側に配置させる第１１の工程と、
環状組立後に前記離間ティース間の前記渡り線を前記第１の絶縁用ボビンの前記内壁の外径側に設けた前記渡り線収納溝に配置させる第１２の工程と、
各相の巻線の巻き終わり線を中性点として接続する第１３の工程
から成る回転電機の固定子の製造方法。
【請求項１２】
前記回転電機の固定子は、前記第１の絶縁用ボビンの前記外壁にさらに渡り線収納溝を軸方向に２段設け、
前記第３の工程、第５の工程、第７の工程、第１３の工程に、前記第１の絶縁用ボビンの前記外壁に設けた前記渡り線収納溝に前記渡り線を沿わせて収納する手順を追加した
請求項１１記載の回転電機の固定子の製造方法。
【請求項１３】
前記各相の巻線の前記巻き終わり線の中性点を導電性部材に接続する工程を追加した請求項１１または請求項１２に記載の回転電機の固定子の製造方法。
【請求項１４】
バックヨーク部と前記バックヨーク部から突出したティース部とを備える分割構造の磁極片から構成されるユニットコアと、
前記磁極片に嵌合された第１の絶縁用ボビンと第２の絶縁用ボビンと、
前記第１の絶縁用ボビンと第２の絶縁用ボビンを介して前記ティース部に巻装された巻線とを備え、
前記第１の絶縁用ボビンは、外壁と内径寸法は前記磁極片のティース内径寸法より小さい内壁を有し、前記内壁の外径側には前記巻線の渡り線を収納する渡り線収納溝が３段軸方向に設けられ、さらに前記内壁には周方向に渡り線を通す２箇所のスリットを備え、さらに内径側に突出した突起を前記スリット間に1個と前記スリットの円周方向両端部に軸方向に各２個を備え、さらに前記外壁に渡り線収納溝を軸方向に２段設け、
前記第２の絶縁用ボビンは、前記外壁と内径寸法は前記磁極片のティース内径寸法より大きい前記内壁を備えた構成の回転電機の固定子と、
前記磁極片の積層方向に回転軸を持つ鉄心保持治具と、
前記鉄心保持治具の前記回転軸と直交する方向に配置された回転軸を中心に旋回し巻線を供給する巻線供給巻付用のフライヤとを備えた巻線装置を用い、
前記鉄心保持治具に第１〜第ｎのｎ個（ｎ＝２以上の整数）１組の前記磁極片を前記鉄心保持治具の中心に対して略点対称位置または同一角度間隔位置となるように配置する第１の工程と、
前記第１の磁極片の前記ティース部に前記フライヤにより前記巻線を巻装する第２の工程と、
前記巻線を切断することなく前記鉄心保持治具の回転によって前記第２の磁極片を前記フライヤに対向させ、離間ティース間の渡り線を所定長さ確保する第３の工程と、
前記第２の磁極片の前記ティース部に前記フライヤにより前記巻線を巻装する第４の工程と、
ｎが３以上の場合は、前記第３の工程および前記第４の工程を第３〜第ｎの磁極片に対して実施する第５の工程と、
前記巻線を巻装した前記各ユニットコアを前記鉄心保持治具から取り外し、前記ティース部を円弧状となるように配置する第６の工程と、
前記各工程を経たｎ個の前記磁極片を１組として、これを３の倍数組並べて環状に組み立てる第７の工程と、
この前記環状に組み立てる際に前記離間ティース間の前記渡り線を前記第１の絶縁用ボビンの前記内壁に設けた前記スリットを通し、前記内壁の内径側の前記突起の軸方向の上側または下側に配置させる第８の工程と、
環状組立後に前記離間ティース間の前記渡り線を前記第１の絶縁用ボビンの前記内壁の外径側に設けた前記渡り線収納溝に配置させる第９の工程と、
各相の巻き終わり線を前記第１の絶縁用ボビンの前記外壁に設けた前記渡り線収納溝に巻線端末部を収納して中性点の結線処理を行う第１０の工程と、
から成る回転電機の固定子の製造方法。
【請求項１５】
前記各相の巻線の前記巻き終わり線の中性点を導電性部材に接続する工程を追加した請求項１４に記載の回転電機の固定子の製造方法。